(57)【要約】【課題】移動体において、今まで見過ごしていたあるいは気づかなかった情報をユーザーに提示し、好ましくは、メモさせる情報提示装置を提供する。【解決手段】本開示の情報提示装置２０１は、移動体２００の移動経路に沿った複数の場所４００の個々に関する広告情報を移動に伴って送受信する送受信部と、送受信部が受信した広告情報を蓄積する記憶部と、広告情報を表示する表示部を備える。そして、所定のタイミングで、記憶部に蓄積している複数の広告情報の中から、移動体２００の移動経路に沿って、広告情報を取得した距離が近い場所４００、または取得してからの時間が短い場所４００に関する広告情報を優先的に、表示部に表示するように制御する制御部を備える。【選択図】図１
2016157422.tif 000002
【特許請求の範囲】
【請求項１】
移動体の移動経路に沿った複数の場所の個々に関する広告情報を移動に伴って送受信する送受信部と、
前記送受信部が受信した前記広告情報を蓄積する記憶部と、
前記広告情報を表示する表示部と、
所定のタイミングで、前記記憶部に蓄積している複数の広告情報の中から、前記移動体の移動経路に沿って前記広告情報を取得した距離が近い場所または、取得してからの時間が短い場所に関する広告情報を優先的に、前記表示部に表示するように制御する制御部を備えた情報提示装置。
【請求項２】
前記制御部は、前記広告情報を取得した距離が近い順、または取得してからの時間が短い順に、前記場所の前記広告情報を、前記表示部に表示するように制御する請求項１に記載の情報提示装置。
【請求項３】
前記移動体は、乗物である請求項１に記載の情報提示装置。
【請求項４】
前記所定のタイミングは、前記乗物が停止したと前記制御部が判断したときである請求項３に記載の情報提示装置。
【請求項５】
前記場所は、店舗または情報発信箇所である請求項１に記載の情報提示装置。
【請求項６】
前記広告情報は、概要情報および詳細情報を含む請求項１に記載の情報提示装置。
【請求項７】
前記制御部は、前記情報提示装置の停止時間および前記広告情報の表示量に基づいて、前記表示部の表示を制御する請求項１に記載の情報提示装置。
【発明の詳細な説明】
【技術分野】
【０００１】
本開示は、情報を提示する情報提示装置に関する。
【背景技術】
【０００２】
自動車などの乗物を運転中に、運転手に対して、様々な情報を配信する技術が知られている。
【０００３】
例えば、特許文献１に開示の技術は、乗物が配信エリア内に存在すると判定したとき、広告情報を受信し、広告情報に含まれる概要広告情報を表示する。そして、乗物が停車したときに、乗物が提示エリア内に存在すると判定すれば、詳細広告情報を表示する。
【先行技術文献】
【特許文献】
【０００４】
【特許文献１】特開２００３−３３７９０５号公報
【発明の概要】
【発明が解決しようとする課題】
【０００５】
しかしながら、特許文献１に開示の技術は、必ずしも自動車の走行経路に沿った広告情報などの情報提示だけでなく、不要な情報も多く含まれる。つまり、運転手（ユーザー）は、表示された情報の取捨選択が必要となる。そのため、ユーザーは、今まで見過ごしていた、あるいは気付かなかった情報を適切に取得するのが困難であった。
【０００６】
本開示は、移動体において、ユーザーに、今まで見過ごしていた、あるいは気づかなかった情報を提示できる情報提示装置を提供する。
【課題を解決するための手段】
【０００７】
本開示の情報提示装置は、移動体の移動経路に沿った複数の場所の個々に関する広告情報を移動に伴って送受信する送受信部と、送受信部が受信した広告情報を蓄積する記憶部と、広告情報を表示する表示部を備える。さらに、所定のタイミングで、記憶部に蓄積している複数の広告情報の中から、移動体の移動経路に沿って、広告情報を取得した距離が近い場所、または取得してからの時間が短い場所に関する広告情報を優先的に、表示部に表示するように制御する制御部を備える。
【発明の効果】
【０００８】
本開示は、ユーザーに、今まで見過ごしていた、あるいは気づかなかった情報を提示して、メモさせることができる情報提示装置を提供できる。
【図面の簡単な説明】
【０００９】
【図１】本実施の形態にかかる情報提示システムの概要を示す図
【図２】同実施の形態にかかるリコメンド装置の構成を示す図
【図３】同実施の形態にかかるクラウドサーバの構成を示す図
【図４】同実施の形態にかかる店舗装置の構成を示す図
【図５】同実施の形態にかかる広告情報の作成動作を示すフローチャート
【図６】同実施の形態にかかる広告情報の蓄積動作を示すフローチャート
【図７】同実施の形態にかかる広告情報の蓄積動作を示すイメージ図
【図８】同実施の形態にかかる広告情報の蓄積動作を示すイメージ図
【図９】同実施の形態にかかる広告情報の蓄積動作を示すイメージ図
【図１０】同実施の形態にかかる広告情報の蓄積動作を示すイメージ図
【図１１】同実施の形態にかかる広告情報の蓄積動作を示すイメージ図
【図１２】同実施の形態にかかる広告情報の蓄積動作を示すイメージ図
【図１３】同実施の形態にかかる広告情報の表示判定動作を示すフローチャート
【図１４Ａ】同実施の形態にかかる広告情報の表示形態のナビゲーション情報の一例を示すイメージ図
【図１４Ｂ】同実施の形態にかかる広告情報の表示形態の概略情報の一例を示すイメージ図
【図１４Ｃ】同実施の形態にかかる広告情報の表示形態の詳細情報の一例を示すイメージ図
【図１５】同実施の形態にかかるメモ情報の蓄積動作を示すフローチャート
【図１６】同実施の形態にかかるクーポンの発行動作を示すフローチャート
【図１７】同実施の形態にかかるメモ情報を活用した広告情報の蓄積動作を示すフローチャート
【発明を実施するための形態】
【００１０】
（実施の形態）
［１．構成］
以下、本実施の形態にかかる情報提示システムの構成を説明する。
【００１１】
［１−１．情報提示システムの概要］
図１は、本実施の形態にかかる情報提示システムの概要を示す図である。
【００１２】
図１に示すように、情報提示システム１００は、移動体に付随する情報提示装置を構成するリコメンド装置２０１と、クラウドサーバ３００と、複数の場所に相当する店舗４００に設置される店舗装置４０１などから構成される。リコメンド装置２０１は、移動体が自動車２００の場合、自動車２００の車両内に設置される。店舗装置４０１は、店舗４００内に設置される。なお、移動体は、上記自動車２００などの乗物に、限定されない。例えば、移動体は、付随してリコメンド装置２０１を所有し移動する所有者本人であってもよい。この場合、リコメンド装置２０１は、例えばタブレット端末、携帯電話、スマートフォンなどの携帯型の情報端末が相当する。また、場所は店舗４００に限られず、外部に広告情報を報知したい、例えば観光地、イベント会場、遊園地などの情報発信箇所であってもよい。
【００１３】
上記構成の情報提示システムの情報提示方法について、説明する。
【００１４】
なお、以下では、移動体として自動車２００を、場所として店舗４００を例に、具体的に説明する。
【００１５】
本実施の形態の情報提示システム１００は、リコメンド装置２０１とクラウドサーバ３００、および、クラウドサーバ３００と店舗装置４０１は、ネットワーク１１０を介して接続され、各種の情報を通信する。
【００１６】
具体的には、まず、店舗装置４０１は、クラウドサーバ３００に対して店舗４００に関する広告情報を送信する。クラウドサーバ３００は、店舗４００の広告情報を蓄積する。
【００１７】
リコメンド装置２０１は、クラウドサーバ３００に対して、自動車２００の位置情報（現在走行している地理的位置など）を送信する。これを受けて、詳細は後述する条件に基づいて、クラウドサーバ３００は、リコメンド装置２０１に対して、蓄積している店舗４００などの広告情報を配信する。これにより、自動車２００に乗車している運転手または同乗者などのユーザーは、リコメンド装置２０１を介して、店舗４００の広告情報などを閲覧できる。さらに、ユーザーは、広告情報の閲覧の際に、必要な広告情報をメモ情報としてメモ（記憶）することができる。
【００１８】
そして、リコメンド装置２０１は、メモに係るメモ情報を、ユーザーのＩＤ情報とともに、クラウドサーバ３００に送信する。クラウドサーバ３００は、メモ情報を、ユーザーのＩＤ情報とともに、店舗装置４０１に送信する。これにより、店舗４００は、自動車２００などで来店したユーザーに対して、クーポンの発行など、各種サービスを、効率よく提供できる。
【００１９】
以上のように、本実施の形態の情報提示システム１００は、リコメンド装置２０１などの情報提示装置を介して、運転手などのユーザーに、店舗４００などの情報提示が実行される。
【００２０】
つぎに、リコメンド装置２０１、クラウドサーバ３００および店舗装置４０１の構成について、以下に、順に説明する。
【００２１】
［１−２．リコメンド装置の構成］
なお、リコメンド装置２０１は、運転手などのユーザーが視認しやすい、例えば自動車２００内のインストルメントパネル（Ｉｎｓｔｒｕｍｅｎｔ  Ｐａｎｅｌ）などに設置される。
【００２２】
図２は、同実施の形態にかかるリコメンド装置の構成を示す図である。
【００２３】
図２に示すように、情報提示装置を構成するリコメンド装置２０１は、ＣＰＵ２１０、ＲＯＭ２１１、ＲＡＭ２１２、ＨＤＤ２１３、送受信部２２０、入力部２３０、出力部２４０、表示部２４１、速度情報受信部２５０およびＧＰＳ２６０などを備える。なお、ＣＰＵはＣｅｎｔｒａｌ  Ｐｒｏｃｅｓｓｉｎｇ  Ｕｎｉｔ、ＲＯＭはＲｅａｄ  Ｏｎｌｙ  Ｍｅｍｏｒｙ、ＲＡＭはＲａｎｄｏｍ  Ａｃｃｅｓｓ  Ｍｅｍｏｒｙ、ＨＤＤはＨａｒｄ  Ｄｉｓｋ  ＤｒｉｖｃｅおよびＧＰＳはＧｌｏｂａｌ  Ｐｏｓｉｔｉｏｎｉｎｇ  Ｓｙｓｔｅｍの略記である。
【００２４】
ＣＰＵ２１０は、制御部を構成し、リコメンド装置２０１を構成する各部を制御する。ＣＰＵ２１０は、ＲＯＭ２１１、ＲＡＭ２１２、ＨＤＤ２１３にアクセスして、必要な制御を実行する。ＲＯＭ２１１は、リコメンド装置２０１を構成する各部を制御するためのプログラムなどを記憶する。ＲＡＭ２１２、ＨＤＤ２１３は、記憶部を構成し、詳細は後述する広告情報などを記憶する。
【００２５】
また、ＣＰＵ２１０は、送受信部２２０をインターフェースとし、ネットワーク１１０を介して、クラウドサーバ３００と各種の情報を通信する。なお、送受信部２２０は、例えば４Ｇ（４ｔｈ  Ｇｅｎｅｒａｔｉｏｎ）やＷｉ−Ｆｉ（Ｗｉｒｅｌｅｓｓ  Ｆｉｄｅｌｉｔｙ）などの任意の通信規格を採用できる。
【００２６】
さらに、ＣＰＵ２１０は、入力部２３０をインターフェースとし、ユーザーからの入力を受け付ける。ＣＰＵ２１０は、入力された内容に応じた各部の制御を行う。なお、入力部２３０は、例えばハードキーやタッチパネルなどを採用できる。
【００２７】
また、ＣＰＵ２１０は、出力部２４０を介して、表示部２４１に映像などの情報を表示させる。なお、表示部２４１は、例えば液晶方式や有機ＥＬ（Ｅｌｅｃｔｒｏ  Ｌｕｍｉｎｅｓｃｅｎｃｅ）方式など、任意の表示方式を採用できる。
【００２８】
さらに、ＣＰＵ２１０は、速度情報受信部２５０をインターフェースとし、自動車２００の現在の走行速度に関する情報を、自動車制御装置２０２から取得する。なお、自動車制御装置２０２は、自動車２００の走行を制御する装置を構成する。
【００２９】
また、ＣＰＵ２１０は、ＧＰＳ２６０により、衛星１２０から自動車２００の位置情報（現在走行している地理的情報など）を取得する。
【００３０】
以上のように、情報提示システム１００のリコメンド装置２０１は構成される。
【００３１】
［１−３．クラウドサーバの構成］
図３は、同実施の形態にかかるクラウドサーバの構成を示す図である。
【００３２】
図３に示すように、クラウドサーバ３００は、ＣＰＵ３１０、ＲＯＭ３１１、ＲＡＭ３１２、ＨＤＤ３１３および送受信部３２０などを備える。
【００３３】
ＣＰＵ３１０は、制御部を構成し、クラウドサーバ３００を構成する各部を制御する。ＣＰＵ３１０は、ＲＯＭ３１１、ＲＡＭ３１２、ＨＤＤ３１３にアクセスして、必要な制御を実行する。ＲＯＭ３１１は、クラウドサーバ３００を構成する各部を制御するためのプログラムなどを記憶する。ＲＡＭ３１２は、ＣＰＵ３１０の作業メモリとして使用される。ＨＤＤ３１３は、詳細は後述する広告情報やメモ情報を記憶する。さらに、ＨＤＤ３１３は、少なくとも道路の存在を示す道路情報を含む地図情報などを記録する。
【００３４】
また、ＣＰＵ３１０は、送受信部３２０をインターフェースとし、ネットワーク１１０を介して、リコメンド装置２０１や店舗装置４０１と、各種の情報を通信する。なお、送受信部３２０は、リコメンド装置２０１や店舗装置４０１と通信可能な、例えば４ＧやＷｉ−Ｆｉなどの任意の通信規格を採用できる。
【００３５】
以上のように、情報提示システム１００のクラウドサーバ３００は構成される。
【００３６】
［１−４．店舗装置の構成］
なお、店舗装置４０１は、店舗４００内のレジカウンターの脇やスタッフ室など、任意の場所に設置される。
【００３７】
図４は、同実施の形態にかかる店舗装置の構成を示す図である。
【００３８】
図４に示すように、店舗装置４０１は、ＣＰＵ４１０、ＲＯＭ４１１、ＲＡＭ４１２、ＨＤＤ４１３、送受信部４２０、入力部４３０、出力部４４０および表示部４４１などを備える。
【００３９】
ＣＰＵ４１０は、制御部を構成し、店舗装置４０１を構成する各部を制御する。ＣＰＵ４１０は、ＲＯＭ４１１、ＲＡＭ４１２、ＨＤＤ４１３にアクセスして、必要な制御を実行する。ＲＯＭ４１１は、店舗装置４０１を構成する各部を制御するためのプログラムなどを記憶する。ＲＡＭ４１２は、ＣＰＵ４１０の作業メモリとして使用される。ＨＤＤ４１３は、詳細は後述するメモ情報などを記憶する。
【００４０】
また、ＣＰＵ４１０は、送受信部４２０をインターフェースとし、ネットワーク１１０を介して、クラウドサーバ３００と各種の情報を通信する。なお、送受信部４２０は、クラウドサーバ３００と通信可能な、例えば４ＧやＷｉ−Ｆｉなどの任意の通信規格を採用できる。
【００４１】
さらに、ＣＰＵ４１０は、入力部４３０をインターフェースとし、店舗４００の店員などからの入力を受け付ける。ＣＰＵ４１０は、入力された内容に応じた各部の制御を行う。なお、入力部４３０は、例えばハードキーやタッチパネルなどを採用できる。
【００４２】
また、ＣＰＵ４１０は、出力部４４０を介して、表示部４４１に映像などの情報を表示させる。なお、表示部４４１は、例えば液晶方式や有機ＥＬ（Ｅｌｅｃｔｒｏ  Ｌｕｍｉｎｅｓｃｅｎｃｅ）方式など、任意の表示方式を採用できる。
【００４３】
以上のように、情報提示システム１００の店舗装置４０１は構成される。
【００４４】
［２．動作］
つぎに、本実施の形態にかかる情報提示システム１００を構成するリコメンド装置２０１、クラウドサーバ３００および店舗装置４０１のそれぞれの動作について、以下に説明する。
【００４５】
〔２−１．情報提示システムの動作の概要〕
まず、情報提示システム１００の動作の概要について、説明する。
【００４６】
情報提示システム１００は、自動車２００に乗った運転手や同乗者などのユーザーに対して、今まで見過ごしていた、あるいは気づかなかった情報を提示し、好ましくは、容易にメモを取ることができるソリューションを提供する。
【００４７】
具体的には、まず、リコメンド装置２０１は、自動車２００の走行経路などの移動経路に沿った、例えば複数の場所に相当する店舗４００の個々に関する広告情報を、自動車２００が走行した順に、受信する。受信した広告情報は、順次、ＲＡＭ２１２やＨＤＤ２１３などで構成される記憶部に蓄積される。このとき、広告情報を取得した時間や更新履歴などの情報も、同時に記憶部に蓄積される。
【００４８】
そして、リコメンド装置２０１の制御部を構成するＣＰＵ２１０は、所定のタイミング、例えば自動車２００が停止したと判断した場合、蓄積している複数の広告情報の中から、例えば優先順序に従って、表示部２４１に表示する。具体的には、自動車２００の走行経路に沿って、自動車２００からの距離が近い店舗４００、または取得してからの時間が短い店舗４００に関する広告情報が、優先的に表示部２４１に表示される。この場合、必ずしも距離が近い店舗４００、または取得してからの時間が短い店舗４００の順に表示する必要は無い。例えば、所定の領域内で、距離が近い店舗４００、または取得してからの時間が短い店舗４００を、遠い順あるいは順不同で表示してもよい。なお、広告情報の表示は、メモを促すメモボタン（図１４Ｂ、図１４Ｃ参照）の操作とともに行ってもよい。これにより、運転手などのユーザーは、有益な情報を、より効率よく入手して、活用することができる。
【００４９】
以下、情報提示システム１００の動作の詳細を説明する。
【００５０】
〔２−２．広告情報の作成動作〕
はじめに、情報提示システム１００における広告情報の作成動作について、図５を用いて説明する。
【００５１】
図５は、同実施の形態にかかる広告情報の作成動作を示すフローチャートである。なお、図５は、クラウドサーバ３００と店舗装置４０１の動作フローを示している。
【００５２】
図５に示すように、まず、店舗装置４０１のＣＰＵ４１０は、入力部４３０を介して、店舗４００の店員による入力操作を受け付ける。これにより、店舗４００に関する広告情報が作成される（ステップＳ１３０１）。具体的には、店員は、例えば所定のフォーマットを埋めるように入力操作を行い、店舗４００の広告情報を作成する。所定のフォーマットは、店舗名、属性（飲食店、雑貨屋、旅行代理店などの業種属性）、店舗についての説明文、位置情報（店舗の住所）、メニュー、値段、営業時間、商品・店舗の外観・内装についての画像などが入力できるように構成されている。この場合、特に、店舗名、店舗についての説明文、位置情報（店舗の住所）は必須情報である。
【００５３】
さらに、所定のフォーマットは、後述する図１４Ｂおよび図１４Ｃに示す概要情報と詳細情報を入力できるように構成されている。概要情報は、比較的小さいサイズの画像などの広告情報が入力される。一方、詳細情報は、比較的大きいサイズの画像などの広告情報が入力される。
【００５４】
図１４Ｂは、同実施の形態にかかる広告情報の表示形態の概略情報を示すイメージ図である。図１４Ｃは、同実施の形態にかかる広告情報の表示形態の詳細情報を示すイメージ図である。なお、図１４Ｂは、一例として、店舗Ａ〜店舗Ｄの概要情報を示している。また、図１４Ｃは、一例として、店舗Ａ〜店舗Ｄの詳細情報を示している。このとき、図１４Ｂに示す概要情報と、図１４Ｃに示す詳細情報の表示は、表示部２４１に表示された、例えば詳細ボタンなどの操作で切り替えることができる。さらに、後述するように、表示可能な予測時間に応じて、概要情報と詳細情報を自動的に切り替えて表示される。これにより、ユーザーは、表示された適切な画像情報を選択して、得られた情報を活用することができる。
【００５５】
つぎに、店舗装置４０１のＣＰＵ４１０は、店員の入力により作成が完了した広告情報を、送受信部４２０からネットワーク１１０を介して、クラウドサーバ３００に送信する（ステップＳ１３０２）。なお、クラウドサーバ３００への送信は、所定間隔で行っても、作成した広告情報が更新された場合に行ってもよい。
【００５６】
クラウドサーバ３００の送受信部３２０は、店舗装置４０１から送信された広告情報を受信する（ステップＳ１２０１）。そして、クラウドサーバ３００のＣＰＵ３１０は、受信した広告情報を、例えば上書きしながらＨＤＤ３１３などの記憶媒体に蓄積する（ステップＳ１２０２）。
【００５７】
以上により、店舗４００に関する広告情報が作成され、クラウドサーバ３００に記憶される。
【００５８】
〔２−３．広告情報の蓄積動作〕
つぎに、情報提示システム１００におけるリコメンド装置２０１への広告情報の蓄積動作について、図６を用いて説明する。
【００５９】
図６は、同実施の形態にかかる広告情報の蓄積動作を示すフローチャートである。なお、図６は、リコメンド装置２０１とクラウドサーバ３００の動作フローを示している。
【００６０】
まず、リコメンド装置２０１は、例えば自動車２００のエンジンの起動などをトリガーとして、動作を開始する。
【００６１】
具体的には、図６に示すように、リコメンド装置２０１は、位置情報の送信動作（ステップＳ１００１）と、広告表示判定動作（ステップＳ１１００）とを同時に実行する。なお、広告表示判定動作の詳細は、図１３を用いて後述する。
【００６２】
つぎに、送信動作を開始すると、リコメンド装置２０１の送受信部２２０は、ＧＰＳ２６０から取得する自動車２００の位置情報（現在の地理的位置など）を、クラウドサーバ３００に送信する（ステップＳ１００１）。
【００６３】
クラウドサーバ３００は、リコメンド装置２０１から送信された自動車２００の位置情報を受信する（ステップＳ１２０３）。
【００６４】
クラウドサーバ３００は、受信した自動車２００の位置情報に基づいて、自動車２００の走行経路などの移動経路に沿った、走行する自動車２００から近い位置情報を有する店舗４００の広告情報を検索する（ステップＳ１２０４）。なお、自動車２００から近い位置情報とは、例えば予め自動車２００と店舗４００との距離の閾値を定義し、閾値以下の範囲内に存在する店舗４００の位置情報である。
【００６５】
つぎに、クラウドサーバ３００は、それぞれの店舗４００の広告情報に含まれる位置情報（店舗の住所など）に基づいて、ＲＡＭ３１２やＨＤＤ３１３などに広告情報が蓄積されているか、否かを検索する（ステップＳ１２０５）。このとき、クラウドサーバ３００は、自動車２００から近い店舗４００でも、自動車２００の走行経路に沿って存在する店舗４００でない場合、検索結果に含めない。これにより、クラウドサーバ３００は、自動車２００の走行経路に沿った店舗４００の広告情報のみを抽出することができる。
【００６６】
そして、広告情報がＨＤＤ３１３に蓄積されていない場合（ステップＳ１２０５のＮｏ）、クラウドサーバ３００は、ステップＳ１２０３の位置情報を受信する待機状態に戻る。
【００６７】
一方、広告情報がＨＤＤ３１３に蓄積されている場合（ステップＳ１２０５のＹｅｓ）、クラウドサーバ３００は、検索された広告情報をリコメンド装置２０１に送信する（ステップＳ１２０６）。そして、クラウドサーバ３００は、広告情報をリコメンド装置２０１に送信すると、ステップＳ１２０３の位置情報を受信する待機状態に戻る。
【００６８】
つぎに、リコメンド装置２０１は、クラウドサーバ３００から送信された広告情報を、送受信部２２０を介して受信する（ステップＳ１００２）。そして、リコメンド装置２０１は、受信した広告情報を、記憶部を構成するＲＡＭ２１２あるいはＨＤＤ２１３などの記憶媒体に蓄積する（ステップＳ１００３）。
【００６９】
つまり、リコメンド装置２０１は、ステップＳ１００１において、定期的に（例えば、１秒間隔）、自動車２００の位置情報をクラウドサーバ３００に対して送信する。そして、リコメンド装置２０１は、クラウドサーバ３００の記憶部に該当する店舗４００の広告情報があれば、クラウドサーバ３００から逐次広告情報を受信して、記憶部に蓄積する。これにより、リコメンド装置２０１は、自動車２００の走行経路に沿って、店舗４００の広告情報を、記憶部に順次蓄積することができる。このとき、複数の店舗４００の広告情報を一度に受信する場合、リコメンド装置２０１は、自動車２００の走行経路に沿って、自動車２００の現在の位置情報から遠い店舗４００の広告情報から順番に蓄積を行う。
【００７０】
なお、リコメンド装置２０１は、再び同じ移動経路に沿って移動する場合、以前、表示部２４１に表示した後、リコメンド装置２０１の記憶部から削除された広告情報が、クラウドサーバ３００で検索されて送信されても、所定期間（例えば１週間の間）が経過するまでは、記憶部に蓄積しない。なお。所定の期間内であっても、広告情報が更新された場合には、記憶部に記憶して、検索されたときに、再度表示してもよい。これにより、重複して記憶することを防止できる。
【００７１】
以上のように、情報提示システム１００におけるリコメンド装置２０１への広告情報の蓄積動作が実行される。
【００７２】
以下に、情報提示システム１００におけるリコメンド装置２０１への広告情報の蓄積動作について、自動車２００と店舗４００との具体的な位置関係に基づいて、図７から図１２を参照しながら説明する。
【００７３】
図７から図１２は、同実施の形態にかかる広告情報の蓄積動作を示すイメージ図である。なお、図７から図１２は、自動車２００が、ある走行経路２０３（道路）に沿って、初めて走行している場合を示す。さらに、自動車２００から比較的近い位置に、既にクラウドサーバ３００に広告情報が蓄積されているいくつかの店舗４００が立地している場合を例に示す。店舗４００として、例えば店舗Ａ、店舗Ｂ、店舗Ｃ、店舗Ｄ、店舗Ｅ、店舗Ｆを例示している。
【００７４】
また、図７から図１２は、自動車２００が走行経路２０３を走行する順に、時系列で図示している。図中に自動車２００の位置を中心に描かれた２点鎖線の円は、上述した自動車２００からの距離が近いと判定する範囲である閾値を示している。
【００７５】
具体的には、図７は、自動車２００が走行経路２０３に沿って走行中ではあるが、近い距離の範囲（閾値以下）内に店舗が存在していないタイミングを示している。図８は、図７に示したタイミングから自動車２００がさらに走行し、自動車２００から近い距離の範囲（閾値）内に店舗Ａが進入したタイミングを示している。このとき、リコメンド装置２０１は、送受信部２２０を介してクラウドサーバ３００から店舗Ａの広告情報を受信する。そして、店舗Ａの広告情報をＨＤＤ２１３などの記憶部に蓄積する。
【００７６】
また、図９は、図８に示したタイミングから自動車２００が走行し、自動車２００から近い距離の範囲（閾値）内に店舗Ｂが進入したタイミングを示している。このとき、リコメンド装置２０１は、送受信部２２０を介してクラウドサーバ３００から店舗Ｂの広告情報を受信する。そして、店舗Ｂの広告情報をＨＤＤ２１３などの記憶部に蓄積する。
【００７７】
さらに、図１０は、図９に示したタイミングから自動車２００が走行し、自動車２００から近い距離の範囲（閾値）内に店舗Ｃが進入したタイミングを示している。このとき、リコメンド装置２０１は、送受信部２２０を介してクラウドサーバ３００から店舗Ｃの広告情報を受信する。そして、店舗Ｃの広告情報をＨＤＤ２１３などの記憶部に蓄積する。
【００７８】
また、図１１は、図１０に示したタイミングから自動車２００が走行し、自動車２００から近い距離の範囲（閾値）内に店舗Ｄが進入したタイミングを示している。このとき、リコメンド装置２０１は、送受信部２２０を介してクラウドサーバ３００から店舗Ｄの広告情報を受信する。そして、店舗Ｄの広告情報をＨＤＤ２１３などの記憶部に蓄積する。
【００７９】
このとき、リコメンド装置２０１は、記憶部に蓄積する店舗Ａから店舗Ｄの広告情報を取得した時間とともに蓄積する。
【００８０】
以上のように、リコメンド装置２０１は、自動車２００が走行経路２０３に沿って走行するに従って、店舗Ａ、店舗Ｂ、店舗Ｃ、店舗Ｄの順に、各店舗の広告情報を取得した時間とともに、記憶部に蓄積する。
【００８１】
このとき、図７から図１２に示す店舗Ｅ、店舗Ｆも、自動車２００から比較的近い位置に存在する。しかし、自動車２００が走行する走行経路２０３に沿った距離の範囲（閾値）を超えるため、リコメンド装置２０１は、それらの店舗が近いとは判定できない。そのため、クラウドサーバ３００は、自動車２００の位置情報に基づいて、店舗Ｅ、店舗Ｆの広告情報を検索結果に含めない。これにより、リコメンド装置２０１は、店舗Ｅ、店舗Ｆの広告情報を、記憶部に蓄積しない。
【００８２】
また、図１２は、図７から図１１に従って自動車２００が走行し、リコメンド装置２０１が店舗Ａ、店舗Ｂ、店舗Ｃ、店舗Ｄの順に広告情報を蓄積した後、信号機前で停止したタイミングを示している。このとき、リコメンド装置２０１は、表示部２４１に、後述する、予測した停車時間などに基づいて、広告情報などを適切な数および表示量で表示する。
【００８３】
なお、リコメンド装置２０１は、例えば１週間などの所定の期間内に、上記走行経路２０３を再び走行中に、クラウドサーバ３００から店舗の広告情報が送信されても、広告情報の更新などが無ければ、記憶部に蓄積しない。
【００８４】
また、以前走行した走行経路２０３の途中に、図示しない走行経路から進入した場合、例えば閾値内に店舗Ｅが存在する走行経路から、店舗Ｃおよび店舗Ｄが存在する走行経路２０３に進入した場合、以下のように各店舗の広告情報を蓄積する。そして、リコメンド装置２０１は、所定のタイミング（例えば、信号で停止するタイミング）で、表示部２４１に表示する。
【００８５】
まず、新たに走行した経路に存在する店舗Ｅの広告情報が、クラウドサーバ３００で検索される。検索された広告情報は、リコメンド装置２０１に送信され、記憶部に蓄積される。
【００８６】
つぎに、店舗Ｅの広告情報を入手後、所定の期間内に再び走行経路２０３を走行すると、店舗Ｃおよび店舗Ｄの広告情報は、クラウドサーバ３００で検索され、送信される。しかし、上記店舗の広告情報は、予め蓄積されているか、所定の期間内に表示されて削除されているため、再びリコメンド装置２０１の記憶部には蓄積されない。なお、所定の期間を超えた場合や、広告情報が更新された場合は、蓄積される。
【００８７】
つぎに、図１２に示すように、信号機の手前で停止すると、蓄積された店舗の広告情報を表示する。このとき、店舗Ｃおよび店舗Ｄの広告情報が記憶部に残り、自動車２００からの距離が近い順に表示する場合、店舗Ｄ、店舗Ｃ、店舗Ｅの順に表示される。一方、広告情報を取得してからの時間が短い順に表示する場合、店舗Ｅ、店舗Ｄ、店舗Ｃの順で表示される。これは、自動車２００が停止するまでの短い時間に走行した場所である店舗Ｅの印象が強く、ユーザーの感心が高いことを考慮して表示する場合に相当する。
【００８８】
以上により、情報提示システム１００におけるリコメンド装置２０１への店舗４００の広告情報の蓄積動作が実行される。
【００８９】
〔２−４．広告情報の表示動作〕
つぎに、情報提示システム１００のリコメンド装置２０１における広告情報の表示判定動作について、図１３を用いて説明する。
【００９０】
図１３は、同実施の形態にかかる広告情報の表示判定動作を示すフローチャートである。なお、表示判定動作は、図６に示すステップＳ１１００の広告表示判定動作に相当し、蓄積した広告情報の表示に関して制御する動作フローである。
【００９１】
図１３に示すように、リコメンド装置２０１は、速度情報受信部２５０を介して自動車制御装置２０２から送られてくる速度情報を受信する（ステップＳ１００４）。このとき、自動車制御装置２０２は、速度情報を、例えば１秒間隔で送信する。リコメンド装置２０１は、送信された速度情報を速度情報受信部２５０で受信する。
【００９２】
つぎに、リコメンド装置２０１の制御部を構成するＣＰＵ２１０は、受信した速度情報が時速３ｋｍ未満か、否かを判定する（ステップＳ１００５）。ここで、判定基準である時速３ｋｍは、自動車２００が停止したか、否かを判定するための速度の一例であり、特に、この速度に限られるものではない。
【００９３】
このとき、時速３ｋｍ以上と判定した場合（ステップＳ１００５のＮｏ）、リコメンド装置２０１は、再度ステップＳ１００４に戻って、速度情報を受信する。
【００９４】
一方、時速３ｋｍ未満であると判定した場合（ステップＳ１００５のＹｅｓ）、リコメンド装置２０１は、速度が時速３ｋｍ未満の状態を３秒以上継続したか、否かを判定する（ステップＳ１００６）。ここで、判定基準である３秒以上は、自動車２００が停止したか、否かを判定するための時間の一例であり、特に、この時間に限られるものではない。
【００９５】
このとき、３秒未満と判定した場合（ステップＳ１００６のＮｏ）、ステップＳ１００５に戻る。そして、速度が時速３ｋｍ未満の状態を３秒以上継続するまで、リコメンド装置２０１は、ステップＳ１００５およびステップＳ１００６の判定動作を繰り返す。
【００９６】
一方、速度が時速３ｋｍ未満（ステップＳ１００５のＹｅｓ）の状態が、３秒以上継続する前（ステップＳ１００６のＮｏ）に、速度が時速３ｋｍ以上になった場合（ステップＳ１００５のＮｏ）、再度ステップＳ１００４に戻って、速度情報を受信する。
【００９７】
そして、時速３ｋｍ未満（ステップＳ１００５のＹｅｓ）の状態が、３秒以上継続したと判定された場合（ステップＳ１００６のＹｅｓ）、リコメンド装置２０１は、記憶部を構成するＲＡＭ２１２あるいはＨＤＤ２１３に、店舗４００に関する広告情報が蓄積されているか、否かを判定する（ステップＳ１００７）。このとき、広告情報が蓄積されていないと判定された場合（ステップＳ１００７のＮｏ）、リコメンド装置２０１は、再度ステップＳ１００４に戻って、速度情報を受信する。
【００９８】
一方、広告情報が蓄積されている場合（ステップＳ１００７のＹｅｓ）、リコメンド装置２０１は、自動車２００の停車時間の予測を行う（ステップＳ１００８）。なお、停車時間は、自動車２００に備え付けのカーナビゲーションの情報や通信で取得する交通情報などに基づいて、予測される。具体的には、上記情報から得られる、信号で止まったかどうか、渋滞で止まったかどうか、つまり信号の待ち時間、渋滞の予測時間などに基づいて、停車時間の予測を行う。これにより、予測した停車時間の範囲内に、適切な広告情報を表示するように制御できる。
【００９９】
つぎに、リコメンド装置２０１は、ＲＡＭ２１２やＨＤＤ２１３に蓄積された広告の数を取得する（ステップＳ１００９）。なお、取得する広告の数は、蓄積された全ての広告の数でなくてもよい。例えば、自動車２００の現在の位置に近い（所定の閾値による距離の範囲内）店舗の位置情報の広告のみの数でもよい。
【０１００】
つぎに、リコメンド装置２０１のＣＰＵ２１０は、予測された停車時間に基づいて、表示する広告の数や、表示する１つの広告の表示量を計算する（ステップＳ１０１０）。なお、表示する広告の数や表示量は、予測した停止時間が長ければ多くなる。このとき、表示する広告の数が少ない場合、１つの広告の表示時間を長くしてもよい。
【０１０１】
つまり、ＣＰＵ２１０は、例えば予測した停止時間から広告の数を割ることにより、１つの広告を表示する時間を計算する。この場合、最低限（例えば、５秒）の表示時間が確保できない場合、取得した広告の数を、近い順にさらに絞り込んで表示し、それ以外の広告は表示しない。そして、計算により得られた時間配分に基づいて、表示部２４１への画面表示を自動的に切り替えて表示する。このとき、通常、広告情報の概略情報を優先的に表示する。これにより、より多くの広告情報をユーザーに提供できる。
【０１０２】
なお、上記の表示方法以外に、例えば予測した停止時間から広告の数を割った結果が、所定の閾値以上の表示時間の場合、初めから表示部２４１に、広告情報の詳細情報を表示してもよい。一方、閾値未満の表示時間の場合、表示部２４１に、詳細情報は表示せず、概略情報のみを表示してもよい。このとき、運転手から詳細表示の操作が行われた場合のみ、広告を表示するように構成してもよい。さらに、閾値未満の表示時間の場合、広告の数を絞り込んで計算し、最低限の表示時間を確保して、表示してもよい。これにより、ユーザーに適切な表示量で、かつ適切な時間で表示できる。その結果、ユーザーに対して、確実に広告情報を提示することができる。
【０１０３】
つぎに、リコメンド装置２０１のＣＰＵ２１０は、記憶部に蓄積された広告情報から、表示する広告の順番を決定する（ステップＳ１０１１）。具体的には、リコメンド装置２０１は、停止した自動車２００の位置情報から、走行経路２０３に沿って自動車２００の停車位置に近い店舗の広告、または取得してからの時間が短い店舗の広告から順番に、表示順番として決定する。すなわち、図７から図１２で説明した例においては、リコメンド装置２０１は、図１２に示す自動車２００が信号機で停車した位置に近い店舗Ｄ、店舗Ｃ、店舗Ｂ、店舗Ａの順番を表示順番とする。なお、表示順番は、停車時間内に表示できる広告の数であれば、遠い順（店舗Ａ、店舗Ｂ、店舗Ｃ、店舗Ｄ）や順不同で表示してもよい。
【０１０４】
つぎに、リコメンド装置２０１は、ステップＳ１０１１で決定した表示順番に従って、表示部２４１に店舗Ｄ〜店舗Ａの広告情報を順次表示する。そして、リコメンド装置２０１は、表示部２４１に表示した広告情報を、ＲＡＭ２１２やＨＤＤ２１３などの記憶部から削除する（ステップＳ１０１２）。これにより、削除された広告情報より以前に蓄積された広告情報の順番が、順次繰り上がって蓄積される。このとき、自動車２００が予測した停車時間より早く発進した場合、表示途中の広告情報は削除せず、記憶部に蓄積しておく。なお、広告の削除は、広告情報を表示した後に即座に行ってもよいし、所定時間後に行ってもよい。また、例えば、再び自動車２００が発進した後に、広告情報を削除してもよい。
【０１０５】
つぎに、リコメンド装置２０１は、表示部２４１に広告情報を表示している間、運転手が入力部２３０を介してメモボタンを押下したか、否かをモニタする（ステップＳ１０１３）。このとき、メモボタン（図１４Ｂ参照）が押下された場合（ステップＳ１０１３のＹｅｓ）、リコメンド装置２０１は、該当する店舗の広告情報に対するメモ情報を、運転手のＩＤ情報とともに、クラウドサーバ３００に送信する（ステップＳ１０１４）。このとき、メモ情報は、図１３に示すＡから、後述する図１５のフローチャートに示すＡに送信され、メモ情報の蓄積動作が実行される。
【０１０６】
一方、メモボタンの押下がない場合（ステップＳ１０１３のＮｏ）、あるいはメモ情報の送信動作が完了した場合（ステップＳ１０１４）、リコメンド装置２０１は、継続して受信している速度情報が時速３ｋｍ未満か、否かを判定する（ステップＳ１０１５）。なお、判定基準の時速３ｋｍは、自動車２００が発進したか、否かを判定するための速度の一例であり、特に、この速度に限られるものではない。
【０１０７】
このとき、速度情報が時速３ｋｍ未満で、自動車２００が停止していると判定された場合（ステップＳ１０１５のＹｅｓ）、リコメンド装置２０１は、ステップＳ１０１２からステップＳ１０１５の動作を繰り返す。すなわち、自動車２００が停車している限り、表示部２４１に、削除した情報より以前の繰り上がった広告情報の表示および、表示した広告情報のＲＡＭ２１２、ＨＤＤ２１３からの削除動作を、順次繰り返す。なお、蓄積情報がなくなる場合、表示部２４１には最後に表示した広告情報の表示を維持してもよい。また、「蓄積情報は無い」と表示して、ユーザーに通知してもよい。
【０１０８】
一方、自動車２００が再び発進し、速度情報が時速３ｋｍ以上になった場合（ステップＳ１０１５のＮｏ）、リコメンド装置２０１は、表示部２４１に対する広告情報の表示を中止する（ステップＳ１０１６）。そして、再びステップＳ１００４に戻って、速度情報を受信する以降のステップを実行する。このとき、表示部２４１に、図１４Ａに示すナビゲーション情報などを表示する。
【０１０９】
なお、図１３に示すステップＳ１００４からステップＳ１０１６までのフローは、自動車２００のエンジンを停止するなど、自動車２００の運転が中断されるまで継続して実行される。
【０１１０】
以上のように、情報提示装置を構成するリコメンド装置２０１における広告情報の表示判定動作が実行される。
【０１１１】
以下に、リコメンド装置２０１の表示部２４１に表示される広告情報の具体的な例について、図１４Ａから図１４Ｃを用いて説明する。
【０１１２】
図１４Ａから図１４Ｃは、同実施の形態にかかる広告情報の表示形態を示すイメージ図である。
【０１１３】
図１４Ａは、表示部２４１にナビゲーション情報（例えば、地図情報や現在位置情報など）の画面を表示するイメージ図である。
【０１１４】
図１４Ｂは、店舗の広告情報の表示方法の一例として、広告情報の概要情報を表示する画面のイメージ図である。この場合、図１４Ｂは、例えば、１画面に２つの店舗の概要情報を表示する例で示している。
【０１１５】
なお、上記方式の表示方法を設定している場合、自動車２００が停車したときに、予測した停車時間が、例えば２０秒程度の場合、リコメンド装置２０１は、所定時間（例えば、最低５秒）おきに、例えば店舗Ｄの広告、店舗Ｃの広告、店舗Ｂの広告、店舗Ａの広告の並び順で、概要情報を表示部２４１に表示する。つまり、走行経路２０３に沿って自動車２００の停車位置から近い店舗から、２つの店舗ずつの概要情報を表示部２４１に表示する。具体的には、リコメンド装置２０１は、はじめに、店舗Ｄおよび店舗Ｃの概要情報を表示部２４１の画面に表示する。そして、表示後、所定時間が経過すると、店舗Ｂおよび店舗Ａの概要情報を表示部２４１の画面に表示する。所定時間は、予測した停車時間から、広告の数や表示量に基づいて設定される。
【０１１６】
なお、スクロールバーのスクロール操作によって、運転手が自由に、各店舗の概要情報の表示を切り替えてもよい。また、広告情報の表示時間は、予測した停車時間の範囲内で、最低５秒以上であれば、順次繰り返し表示してもよい。さらに、表示する広告の数に応じて、予測した停車時間には、少なくとも一回は表示できる範囲内で表示時間を任意に変更してもよい。
【０１１７】
さらに、図１４Ｂに示すように、広告情報を表示する表示部２４１の画面には、店舗ごとに詳細ボタンとメモボタンが表示される。このとき、運転手が入力部２３０を介して、例えば詳細ボタンを押下すると、後述する図１４Ｃに示すように、該当する店舗の、より詳細な広告情報を閲覧できる。一方、運転手が入力部２３０を介して、例えばメモボタンを押下すると、該当する店舗の概要情報を、メモ情報としてメモ（記憶）する。
【０１１８】
なお、図１４Ｂに示す表示部２４１の画面では、広告情報を２つの店舗ずつ表示する場合を例に示したが、本開示はこれに限定されない。例えば、１つの店舗や、３つ以上の店舗ずつ表示するように構成してもよい。
【０１１９】
また、詳細ボタンを押下すると、図１４Ｃの詳細情報を表示部２４１に一定時間表示した後、概要情報に戻って表示する構成としてもよい。この場合、時間管理ではなく、図示しないが、詳細情報を表示する表示部２４１に概要情報に戻るための戻るボタンを設けてもよい。さらに、詳細情報を表示後は、その表示を維持する構成としてもよい。
【０１２０】
さらに、図１４Ｃは、広告情報の表示方法の一例として、店舗の詳細情報を表示する場合の画面のイメージ図である。この場合、図１４Ｃは、１画面に１つの店舗の詳細情報を表示している。なお、図１４Ｃは、図１４Ｂの詳細ボタンの押下時に、概略情報から表示する場合以外に、予測した停車時間が長い場合において、表示部２４１に直接表示される詳細情報である。
【０１２１】
具体的には、自動車２００が停車したときに、予測した停車時間が、例えば６０秒程度と長い場合、リコメンド装置２０１は、所定時間（例えば、１０秒）おきに、例えば店舗Ｄの広告、店舗Ｃの広告、店舗Ｂの広告、店舗Ａの広告の並び順で、詳細情報を表示部２４１に表示する。つまり、走行経路２０３に沿って自動車２００の停車位置から近い店舗から１つの店舗ずつ、詳細情報を表示部２４１に表示する。具体的には、リコメンド装置２０１は、はじめに、店舗Ｄの詳細情報を表示部２４１の画面に表示する。そして、表示後、所定時間が経過すると、店舗Ｃの詳細情報を表示する。同様に、リコメンド装置２０１は、店舗Ｃの詳細情報を画面に表示した後、所定時間が経過すると、店舗Ｂの詳細情報を表示する。さらに、リコメンド装置２０１は、店舗Ｂの詳細情報を画面に表示した後、所定時間が経過すると、店舗Ａの詳細情報を表示する。
【０１２２】
なお、スクロールバーのスクロール操作によって、運転手が自由に詳細情報の表示を切り替えてもよい。また、広告情報の表示時間は、予測した停車時間の範囲内で、例えば最低１０秒以上であれば、順次繰り返し表示してもよい。さらに、表示する広告の数に応じて、予測した停車時間には、少なくとも一回は表示できる範囲内で表示時間を任意に変更してもよい。
【０１２３】
さらに、図１４Ｃに示すように、店舗の詳細情報を表示する表示部２４１の画面には、メモボタンが表示される。運転手が入力部２３０を介してメモボタンを押下すると、該当する店舗の詳細情報を、メモ情報としてメモ（記憶）する。
【０１２４】
以上のように、予測した停車時間に応じて、リコメンド装置２０１の表示部２４１に、各店舗の概要情報や詳細情報などの広告情報が表示される。
【０１２５】
〔２−５．メモ情報の蓄積およびクーポン発行動作〕
つぎに、情報提示システム１００のリコメンド装置２０１から送信されるメモ情報の蓄積動作について、図１５を用いて説明する。
【０１２６】
図１５は、同実施の形態にかかるメモ情報の蓄積動作を示すフローチャートである。
【０１２７】
まず、図１５のＡに示すように、クラウドサーバ３００は、図１３のステップＳ１０１４に示すＡから、リコメンド装置２０１の送受信部２２０を介して送信したメモ情報を、運転手などのユーザーのＩＤ情報とともに受信する（ステップＳ１２０７）。そして、クラウドサーバ３００は、受信したメモ情報を、ユーザーのＩＤ情報とともに、ＨＤＤ３１３などの記憶媒体に蓄積する（ステップＳ１２０８）。
【０１２８】
つぎに、クラウドサーバ３００は、蓄積したメモ情報を、ユーザーのＩＤ情報とともに、店舗装置４０１の送受信部４２０に送信する（ステップＳ１２０９）。なお、クラウドサーバ３００から店舗装置４０１へのメモ情報の送信は、図１５に示すタイミングに限らず、クラウドサーバ３００にメモ情報が予め蓄積されていれば、いつ実行してもよい。また、クラウドサーバ３００は、店舗装置４０１からの取得要求に対する応答により、メモ情報やＩＤ情報を送信してもよい。
【０１２９】
つぎに、店舗装置４０１は、送受信部４２０を介して、クラウドサーバ３００から送信されたメモ情報を、ユーザーのＩＤ情報とともに受信する（ステップＳ１３０３）。店舗装置４０１は、受信したメモ情報と、ユーザーのＩＤ情報を、ＨＤＤ４１３などの記憶媒体に蓄積する（ステップＳ１３０４）。
【０１３０】
以上のように、情報提示システム１００のリコメンド装置２０１から送信されるメモ情報の蓄積動作が実行される。
【０１３１】
以下に、上記店舗装置４０１の記憶媒体に蓄積されたメモ情報およびＩＤ情報の活用例として、店舗装置４０１によるクーポンの発行動作について、図１６を用いて説明する。
【０１３２】
図１６は、同実施の形態にかかるクーポンの発行動作を示すフローチャートである。
【０１３３】
図１６に示すように、まず、店舗装置４０１は、来店するユーザーの判定を行う（ステップＳ１３０５）。判定は、例えば店舗４００に設置された店舗装置４０１に組み込まれたカードリーダーに、ユーザーが所持する、ＩＤ情報が格納された店舗カードなどをかざすことにより実現される。また、カードリーダーに店舗カードをかざすことにより、リコメンド装置２０１が来店を判断して、クラウドサーバ３００を経由して、ユーザーの来店の旨とともに、ＩＤ情報を店舗４００の店舗装置４０１に送信して判定してもよい。
【０１３４】
つぎに、店舗装置４０１は、ユーザーのＩＤ情報に対して、記憶媒体に蓄積されたメモ情報の比較を行う（ステップＳ１３０６）。具体的には、店舗装置４０１は、ＨＤＤ４１３に蓄積されたメモ情報のうち、カードリーダーにより読み取ったＩＤ情報と紐付いたメモ情報の比較を行う。このとき、店舗装置４０１は、該当するメモ情報があれば、抽出する。
【０１３５】
そして、店舗装置４０１は、来店したユーザーのＩＤ情報をもつメモ情報が抽出されたか、否かを判定する（ステップＳ１３０７）。このとき、来店したユーザーのＩＤ情報をもつメモ情報がなければ（ステップＳ１３０７のＮｏ）、店舗装置４０１は、クーポンを発行せずに動作を終了する。
【０１３６】
一方、来店したユーザーのＩＤ情報をもつメモ情報が抽出されれば（ステップＳ１３０７のＹｅｓ）、店舗装置４０１は、来店したユーザーに対してクーポンを発行する（ステップＳ１３０８）。
【０１３７】
以上により、店舗装置４０１によるメモ情報を活用したクーポンの発行動作が実行される。
【０１３８】
なお、クーポンの発行動作は、メモ情報を利用する一例を示すもので、これに限られない。例えば、メモ情報を広告効果の分析に利用してもよい。ここで、広告効果の分析とは、地理上のどの範囲まで広告情報を出すと効果的か、あるいは、広告情報を出す自動車２００や人などの移動体からの距離、時間に対して、どんなクーポンの発行が有効か、などである。これにより、店舗やイベント会場などの情報発信箇所は、提供する広告の効果の有効性を分析して、効果的に広告情報をユーザーに提供できる。
【０１３９】
以下に、店舗装置４０１によるメモ情報を活用した別の例について、図１７を用いて説明する。
【０１４０】
図１７は、同実施の形態にかかるメモ情報を活用した広告情報の蓄積動作を示すフローチャートである。なお、図１７は、リコメンド装置２０１とクラウドサーバ３００の動作フローを示している。また、図１７に示す各ステップの動作は、基本的には、図６を用いて説明した各ステップの動作と同様である。
【０１４１】
まず、図６に示す動作フローと同様に、リコメンド装置２０１の送受信部２２０は、自動車２００の位置情報の送信とともに、運転手などのユーザーのＩＤ情報を送信する（ステップＳ１０１７）。なお、ＩＤ情報は、予めリコメンド装置２０１の記憶部などに登録しておく。
【０１４２】
このとき、図１７に示す広告情報の蓄積動作では、以前に同じ走行経路２０３を走行したときにメモしたメモ情報を活用して、店舗の広告情報の表示を行う。
【０１４３】
具体的には、クラウドサーバ３００は、送信された位置情報とＩＤ情報を受信する（ステップＳ１２１０）。そして、走行する自動車２００の現在の位置情報から近い店舗にかかる広告情報に関し、過去にメモ情報を残している広告情報を検索する（ステップＳ１２１１）。
【０１４４】
つぎに、クラウドサーバ３００は、ＲＡＭ３１２やＨＤＤ３１３などにメモ情報が蓄積されているか、否かを検索する（ステップＳ１２１２）。このとき、メモ情報が蓄積されていない場合（ステップＳ１２１２のＮｏ）、クラウドサーバ３００は、ステップＳ１２１０の位置情報受信の待機状態に戻る。
【０１４５】
一方、メモ情報が蓄積されている場合（ステップＳ１２１２のＹｅｓ）、クラウドサーバ３００は、検索されたメモ情報に基づいて、メモ情報に対応する店舗の広告情報を検索する（ステップＳ１２１３）。
【０１４６】
つぎに、クラウドサーバ３００は、検索された広告情報をリコメンド装置２０１に送信する（ステップＳ１２１４）。そして、クラウドサーバ３００は、広告情報をリコメンド装置２０１に送信すると、ステップＳ１２１０の位置情報受信の待機状態に戻る。
【０１４７】
つぎに、リコメンド装置２０１は、図６に示す動作フローと同様に、クラウドサーバ３００から送信された店舗の広告情報を、送受信部２２０を介して受信する（ステップＳ１０１８）。そして、リコメンド装置２０１は、受信した広告情報を、記憶部に蓄積し（ステップＳ１０１９）、ステップＳ１０１７に戻る。
【０１４８】
以上により、リコメンド装置２０１へのメモ情報を活用した過去に記憶した広告情報の蓄積動作が実行される。
【０１４９】
これにより、運転手などのユーザーは、過去に蓄積したメモ情報に基づいて検索された店舗の広告情報により、今まで気づかなかった情報などを、より気づきやすくできる。
【０１５０】
（他の実施の形態）
以上のように、本出願において開示する技術の例示として、実施の形態を説明した。しかしながら、本開示における技術は、これに限定されず、変更、置き換え、付加、省略などを行った実施の形態にも適用可能である。また、上記実施の形態で説明した各構成要素を組み合わせて、新たな実施の形態とすることも可能である。
【０１５１】
そこで、以下に、他の実施の形態について、例示する。
【０１５２】
つまり、本実施の形態では、メモ情報を残すための指示を表示部に表示されるメモボタンの押下で実行する例で説明したが、本開示はこれに限定されない。例えば、音声入力により、メモ情報を残すための指示を実行してもよい。
【０１５３】
また、本実施の形態では、店舗４００の広告情報を、店舗４００の所在住所に基づいて蓄積し、表示する構成を例に示したが、本開示はこれに限定されない。例えば、店舗４００のオーナーあるいは店員が、店舗４００の広告情報を出したい地理的な場所を指定して、表示する構成としてもよい。この場合、店舗４００の広告情報は、指定した場所に基づいた内容で蓄積し、表示するようにしてもよい。
【０１５４】
また、本実施の形態において、リコメンド装置２０１が表示する広告情報を、例えばユーザー属性によりフィルタリングしてもよい。この場合、まず、リコメンド装置２０１は、位置情報に加えてユーザー属性をクラウドサーバ３００に送信する。つぎに、クラウドサーバ３００は、各店舗の広告情報に予め設定されているユーザー属性とのマッチングを行う。そして、マッチングした場合、該当する広告情報のみを抽出して配信するように構成してもよい。
【０１５５】
また、本実施の形態において、蓄積されている広告情報のうち、自動車が停車時間中に表示しきれなかった広告情報を、以降の停車時や、以降の運転機会時に提示する構成としてもよい。
【０１５６】
また、本実施の形態において、走行する道路の車線状況を考慮して、広告情報を提供する構成としてもよい。例えば、自動車の位置する車線に近い広告情報のみを表示する。具体的には、一方通行の場合、進行方向に沿った先にある店舗など広告情報のみを表示し、通り過ぎた店舗の広告情報は非表示にする。また、左折で行ける店舗の広告情報のみを表示する。さらに、ナビゲーション情報に基づいて、渋滞していない道路で行ける店舗の広告情報のみを表示する構成としてもよい。
【０１５７】
また、本実施の形態では、移動体として自動車を例に説明したが、これに限られない。例えば、移動する人でもよい。
【０１５８】
この場合、人の移動経路に沿って、所定の閾値内に存在する店舗の広告情報を、携帯型の情報端末などの情報提示装置の記憶部に蓄積する。
【０１５９】
そして、移動の停止などの所定のタイミングで、蓄積した広告情報のうち、例えば取得した距離が近い場所、または取得してからの時間が短い場所の広告情報を情報提示装置の表示部に表示する。このとき、表示する広告の数を設定しておけば、その範囲内で順次表示する。
【０１６０】
つぎに、表示された広告情報で印象に残った広告情報をメモ情報として記憶して、クーポンなどの発行に活用してもよい。
【０１６１】
なお、上述の実施の形態は、本開示における技術を例示するためのものであるから、特許請求の範囲またはその均等の範囲において、種々の変更、置き換え、付加、省略などを行うことができる。
【産業上の利用可能性】
【０１６２】
本開示は、情報を提示する用途に適用可能である。特に、自動車に乗車した人や、移動する人などの移動体に対して、情報を提示する情報提示システムの情報提示装置などに有効である。
【符号の説明】
【０１６３】
１００    情報提示システム
１１０    ネットワーク
１２０    衛星
２００    自動車（移動体）
２０１    リコメンド装置（情報提示装置）
２０２    自動車制御装置
２０３    走行経路（移動経路）
２１０，３１０，４１０    ＣＰＵ
２１１，３１１，４１１    ＲＯＭ
２１２，３１２，４１２    ＲＡＭ
２１３，３１３，４１３    ＨＤＤ
２２０，３２０，４２０    送受信部
２３０，４３０    入力部
２４０，４４０    出力部
２４１，４４１    表示部
２５０    速度情報受信部
２６０    ＧＰＳ
３００    クラウドサーバ
４００，Ａ，Ｂ，Ｃ，Ｄ，Ｅ，Ｆ    店舗（場所）
４０１    店舗装置
【図１】
2016157422.tif 000003
【図２】
2016157422.tif 000004
【図３】
2016157422.tif 000005
【図４】
2016157422.tif 000006
【図５】
2016157422.tif 000007
【図６】
2016157422.tif 000008
【図７】
2016157422.tif 000009
【図８】
2016157422.tif 000010
【図９】
2016157422.tif 000011
【図１０】
2016157422.tif 000012
【図１１】
2016157422.tif 000013
【図１２】
2016157422.tif 000014
【図１３】
2016157422.tif 000015
【図１４Ａ】
2016157422.tif 000016
【図１４Ｂ】
2016157422.tif 000017
【図１４Ｃ】
2016157422.tif 000018
【図１５】
2016157422.tif 000019
【図１６】
2016157422.tif 000020
【図１７】
2016157422.tif 000021